(57)【特許請求の範囲】
【請求項１】
所定のファイル処理を行うと共にユーザの画像を撮像して前記ユーザの画像イメージを送信する端末が接続された管理サーバであって、
個々のユーザに対してファイル毎に所定ファイル処理の許可・不許可を示す情報が登録されたファイル処理管理情報テーブルと、
ユーザ毎にユーザの画像イメージが関連付けて登録された画像イメージ管理情報テーブルと、
前記端末からのファイル処理要求時に前記ファイル処理管理情報テーブルを参照して前記ファイル処理要求のユーザがファイル処理の対象ファイルに対してファイル処理が許可されているかを判定するファイル処理判定手段と、
前記画像イメージ管理情報テーブルを参照して前記端末から送信されたユーザの画像イメージと前記画像イメージ管理情報テーブルに登録されたユーザの画像イメージとが一致するかを判定する画像イメージ判定手段と、
前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可するファイル処理許可手段と、
を備え、
前記端末は、メールにファイルを添付して送信する端末であり、前記ファイル処理管理情報テーブルには個々のユーザに対して対象ファイル毎にメールへの添付を許可・不許可にする情報が登録され、前記端末から前記管理サーバに前記メールへのファイル添付要求時に前記ファイル処理判定手段により前記メールへのファイル添付要求のユーザに対して対象ファイルのメールへの添付が許可されていると判定され、且つ、前記画像イメージ判定手段により前記端末から送信されたユーザの画像イメージと前記画像イメージ管理情報テーブルに登録されたユーザの画像イメージとが一致すると判定されたときに前記ファイル処理許可手段は前記端末にメールへの前記対象ファイルの添付を許可することを特徴とする管理サーバ。
【請求項２】
前記端末から送信されたユーザの画像イメージは、データベースのログ情報テーブルにログ情報として登録されることを特徴とする請求項１に記載の管理サーバ。
【請求項３】
前記ファイル処理管理情報テーブルには、ファイル処理の種類毎に許可・不許可を示す情報が登録され、
前記ファイル処理判定手段は、前記端末からのある種類のファイル処理要求時に前記ファイル処理管理情報テーブルを参照して前記ファイル処理要求のユーザがファイル処理の対象ファイルに対して前記ある種類のファイル処理が許可されているかを判定し、
前記ファイル処理許可手段は、前記ファイル処理判定手段により前記ファイル処理要求のユーザに対して対象ファイルの前記ある種類のファイル処理が許可され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可することを特徴とする請求項１又は２に記載の管理サーバ。
【請求項４】
前記端末は、前記対象ファイルのファイル操作を行う端末でもあり、前記ファイル処理管理情報テーブルには、個々のユーザに対して対象ファイル毎にファイル操作を許可・不許可にする情報が登録され、前記端末から前記管理サーバへのファイル操作要求時に前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記ファイル処理許可手段は前記端末に前記対象ファイルのファイル操作を許可することを特徴とする請求項１又は２に記載の管理サーバ。
【請求項５】
前記端末は、プリンタのファイル印刷を制御する端末でもあり、前記ファイル処理管理情報テーブルには、個々のユーザに対して対象ファイル毎に印刷を許可・不許可にする情報が登録され、前記端末から前記管理サーバにファイルの印刷要求時に前記ファイル処理判定手段により前記ファイル印刷要求のユーザに対して対象ファイルの印刷が許可されていると判定され、且つ、前記画像イメージ判定手段により前記端末から送信されたユーザの画像イメージと前記画像イメージ管理情報テーブルに登録されたユーザの画像イメージとが一致すると判定された時に、前記ファイル処理許可手段は前記端末に前記対象ファイルの印刷を許可することを特徴とする請求項１又は２に記載の管理サーバ。
【請求項６】
所定のファイル処理を行うと共にユーザの画像を撮像して前記ユーザの画像イメージを送信する端末が接続された管理サーバの端末管理方法であって、
個々のユーザに対してファイル毎に所定ファイル処理の許可・不許可を示す情報が登録されたファイル処理管理情報テーブルと、
ユーザ毎にユーザの画像イメージが関連付けて登録された画像イメージ管理情報テーブルとを有し、
ファイル処理判定手段が、前記端末からのファイル処理要求時に前記ファイル処理管理情報テーブルを参照して前記ファイル処理要求のユーザがファイル処理の対象ファイルに対してファイル処理が許可されているかを判定するファイル処理判定ステップと、
画像イメージ判定手段が、前記画像イメージ管理情報テーブルを参照して前記端末から送信されたユーザの画像イメージと前記画像イメージ管理情報テーブルに登録されたユーザの画像イメージとが一致するかを判定する画像イメージ判定ステップと、
ファイル処理許可手段が、前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可するファイル処理許可ステップと、
を含み、
前記端末は、メールにファイルを添付して送信する端末であり、前記ファイル処理管理情報テーブルには個々のユーザに対して対象ファイル毎にメールへの添付を許可・不許可にする情報が登録され、前記端末から前記管理サーバに前記メールへのファイル添付要求時に前記ファイル処理判定ステップにおいて前記メールへのファイル添付要求のユーザに対して対象ファイルのメールへの添付が許可されていると判定され、且つ、前記画像イメージ判定ステップにおいて前記端末から送信されたユーザの画像イメージと前記画像イメージ管理情報テーブルに登録されたユーザの画像イメージとが一致すると判定されたときに前記ファイル処理許可ステップでは前記端末にメールへの前記対象ファイルの添付を許可することを特徴とする端末管理方法。
【請求項７】
所定のファイル処理を行うと共にユーザの画像を撮像して前記ユーザの画像イメージを送信する端末が接続された管理サーバのプログラムであって、
前記管理サーバを、
ファイル処理管理テーブルに個々のユーザに対してファイル毎に所定ファイル処理の許可・不許可を示す情報を登録する手段と、
画像イメージ管理情報テーブルにユーザ毎にユーザの画像イメージを関連付けて登録する手段と、
前記端末からのファイル処理要求時に前記ファイル処理管理情報テーブルを参照して前記ファイル処理要求のユーザがファイル処理の対象ファイルに対してファイル処理が許可されているかを判定するファイル処理判定手段と、
前記画像イメージ管理情報テーブルを参照して前記端末から送信されたユーザの画像イメージと前記画像イメージ管理情報テーブルに登録されたユーザの画像イメージとが一致するかを判定する画像イメージ判定手段と、
前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可するファイル処理許可手段と、
して機能させると共に、
前記端末は、メールにファイルを添付して送信する端末であり、前記ファイル処理管理情報テーブルには個々のユーザに対して対象ファイル毎にメールへの添付を許可・不許可にする情報が登録され、前記端末から前記管理サーバに前記メールへのファイル添付要求時に前記ファイル処理判定手段により前記メールへのファイル添付要求のユーザに対して対象ファイルのメールへの添付が許可されていると判定され、且つ、前記画像イメージ判定手段により前記端末から送信されたユーザの画像イメージと前記画像イメージ管理情報テーブルに登録されたユーザの画像イメージとが一致すると判定されたときに前記ファイル処理許可手段は前記端末にメールへの前記対象ファイルの添付を許可することを特徴とするプログラム。
【発明の詳細な説明】
【技術分野】
【０００１】
本発明は、管理サーバ及びその端末管理方法に関し、特に、情報資産（ファイル）への不正アクセス等を防止する技術に関するものである。
【背景技術】
【０００２】
従来、情報セキュリティの重要性は、ＩＴ産業に従事するしないに拘わらず周知されてきているが、不正アクセスや情報漏洩といったセキュリティ事故の件数は減る傾向を見せていない。２００９年情報セキュリティインシデントに関する調査報告書（第３章、３．１概要参照）（ＮＰＯ日本ネットワークセキュリティ協会（第３章、３．１概要））によれば、２００７年以降、セキュリティインシデントは増加し続け、２００９年には１，５３９件と過去最高を記録している。
【０００３】
セキュリティインシデントのうち、特に、社会的影響の大きい情報漏洩について原因を見てみると、件数別分析では「管理ミス」、「誤操作」、「紛失・盗難」が８０％以上を占める。また、漏洩した人数別分析では「管理ミス」、「内部犯罪」、「不正アクセス」、「目的外使用」が８０％以上を占める。
【０００４】
これから分かることは、情報漏洩のほとんどは人為的ミスが原因である。つまり、情報漏洩を発生させないためには、これら人為的ミスを発生させないような啓蒙活動と共に情報漏洩が発生しない環境や仕組みが必要と言える。また、新たなサービスとして注目されている「クラウドサービス」についても、社外にデータを分散保管させることによる情報漏洩のリスクは高い。
【０００５】
人為的ミスを発生させないための対策として一般的には「アクセス制限」がある。これは、情報資産を操作するユーザを制限するものであり、その種類にはパスワード認証、生体認証等がある。但し、パスワード認証には他人のパスワードを利用して情報資産にアクセスするという「なりすまし」という脆弱性がある。
【０００６】
一方、近年ではセキュリティツールとしてファイルの完全トレースの必要性が認識され、ファイルの操作内容やその時のログオンユーザ、ファイルの所有者といった情報のトレースが存在する。しかし、昨今のセキュリティ事情を見てみると、これらの情報だけではセキュリティ上十分とは言えない。例えば、悪意のあるユーザが正規ユーザのアカウントを用いてなりすますことが可能であり、ファイルの操作内容やログオンユーザのトレースだけではなりすましを発見することは困難である。
【０００７】
なりすまし対策としては、顔認証、指紋認証に代表される生体認証技術の導入が進んでいる。生体認証は個人の特徴を利用して認証を行う仕組みであるため、他人になりすますことはできない。現在では、顔認証、指紋認証、虹彩認証等の様々な認証技術が登場しているが、認証技術の適用例としては入退場制限や端末や機器の利用制限等への適用のままであり、実際の情報漏洩の対象となる個々の情報資産単位（ファイル単位）に適用する事例はまだない。そのため、入退場や端末、機器に対して、一旦、認証された状態になってしまうと、情報資産への不正アクセスの危険性がある。
【０００８】
従来の生体認証を用いた情報処理装置としては、例えば、特許文献１に記載されているようにコンピュータ端末の利用状況を監視し、その利用状況に応じてコンピュータ端末に使用制限を加える方法がある。即ち、特許文献１には端末利用者の顔を撮像し、予め登録されている端末へのログインを許容された利用者の顔画像と、撮像された利用者の顔画像とを比較して、不一致の場合には端末を利用した利用者の処理操作を制限することが記載されている。
【先行技術文献】
【特許文献】
【０００９】
【特許文献１】特開２００８−０９７６４７号公報
【発明の概要】
【発明が解決しようとする課題】
【００１０】
特許文献１の認証方法では、端末利用者の顔画像とログインを許可された利用者の顔画像とを比較して認証を行い、ログイン段階で端末操作の利用許可／不許可を判断する構成となっており、ログインを許可された利用者間での不正なファイル操作を排除することは出来ない。
【００１１】
具体的には、本来、あるべきユーザセキュリティは特定のファイルに対して「ファイルアクセスさせたいユーザ＝ファイルアクセスできるユーザ」のはずである。これが成り立たない場合は、セキュリティに問題があると言わざるを得ない。特許文献１の方法では、ログインの段階で端末操作の許可を判断するため、ログインできないユーザが特定のファイルを操作することはできない。そのため、「ログイン不可ユーザ＝ファイルアクセスできないユーザ」が成り立つ。
【００１２】
しかしながら、ログインでの許可だけの場合には、「ログイン許可ユーザ＝ファイルアクセスできるユーザ」となってしまう。その際、ログインユーザとファイルアクセスさせたいユーザが一致する場合は問題ないが、ログイン許可ユーザのうちアクセスさせたくないユーザが特定ファイルにアクセスできてしまうという問題点が残ってしまう。つまり、これが「ログインが許可されたユーザ間でのファイルへの不正操作」に該当し、上述のような利用者間での不正なファイル操作を排除することは出来ないのである。
【００１３】
本発明の目的は、利用者間での不正なファイル操作をも確実に防止でき、よりセキュリティレベルを向上させることが可能な管理サーバ及びその端末管理方法を提供することにある。
【課題を解決するための手段】
【００１４】
本発明に係る管理サーバは、所定のファイル処理を行うと共にユーザの画像を撮像して前記ユーザの画像イメージを送信する端末が接続された管理サーバであって、個々のユーザに対してファイル毎に所定ファイル処理の許可・不許可を示す情報が登録されたファイル処理管理情報テーブルと、ユーザ毎にユーザの画像イメージが関連付けて登録された画像イメージ管理情報テーブルと、前記端末からのファイル処理要求時に前記ファイル処理管理情報テーブルを参照して前記ファイル処理要求のユーザがファイル処理の対象ファイルに対してファイル処理が許可されているかを判定するファイル処理判定手段と、前記画像イメージ管理情報テーブルを参照して前記端末から送信されたユーザの画像イメージと前記画像イメージ管理情報テーブルに登録されたユーザの画像イメージとが一致するかを判定する画像イメージ判定手段と、前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可するファイル処理許可手段と、を備え、前記端末は、メールにファイルを添付して送信する端末であり、前記ファイル処理管理情報テーブルには個々のユーザに対して対象ファイル毎にメールへの添付を許可・不許可にする情報が登録され、前記端末から前記管理サーバに前記メールへのファイル添付要求時に前記ファイル処理判定手段により前記メールへのファイル添付要求のユーザに対して対象ファイルのメールへの添付が許可されていると判定され、且つ、前記画像イメージ判定手段により前記端末から送信されたユーザの画像イメージと前記画像イメージ管理情報テーブルに登録されたユーザの画像イメージとが一致すると判定されたときに前記ファイル処理許可手段は前記端末にメールへの前記対象ファイルの添付を許可することを特徴とする。
【００１５】
また、本発明に係る端末管理方法は、所定のファイル処理を行うと共にユーザの画像を撮像して前記ユーザの画像イメージを送信する端末が接続された管理サーバの端末管理方法であって、個々のユーザに対してファイル毎に所定ファイル処理の許可・不許可を示す情報が登録されたファイル処理管理情報テーブルと、ユーザ毎にユーザの画像イメージが関連付けて登録された画像イメージ管理情報テーブルとを有し、ファイル処理判定手段が、前記端末からのファイル処理要求時に前記ファイル処理管理情報テーブルを参照して前記ファイル処理要求のユーザがファイル処理の対象ファイルに対してファイル処理が許可されているかを判定するファイル処理判定ステップと、画像イメージ判定手段が、前記画像イメージ管理情報テーブルを参照して前記端末から送信されたユーザの画像イメージと前記画像イメージ管理情報テーブルに登録されたユーザの画像イメージとが一致するかを判定する画像イメージ判定ステップと、ファイル処理許可手段が、前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可するファイル処理許可ステップと、を含み、前記端末は、メールにファイルを添付して送信する端末であり、前記ファイル処理管理情報テーブルには個々のユーザに対して対象ファイル毎にメールへの添付を許可・不許可にする情報が登録され、前記端末から前記管理サーバに前記メールへのファイル添付要求時に前記ファイル処理判定ステップにおいて前記メールへのファイル添付要求のユーザに対して対象ファイルのメールへの添付が許可されていると判定され、且つ、前記画像イメージ判定ステップにおいて前記端末から送信されたユーザの画像イメージと前記画像イメージ管理情報テーブルに登録されたユーザの画像イメージとが一致すると判定されたときに前記ファイル処理許可ステップでは前記端末にメールへの前記対象ファイルの添付を許可することを特徴とする。
【００１６】
また、本発明に係るプログラムは、所定のファイル処理を行うと共にユーザの画像を撮像して前記ユーザの画像イメージを送信する端末が接続された管理サーバのプログラムであって、前記管理サーバを、ファイル処理管理テーブルに個々のユーザに対してファイル毎に所定ファイル処理の許可・不許可を示す情報を登録する手段と、画像イメージ管理情報テーブルにユーザ毎にユーザの画像イメージが関連付けて登録する手段と、前記端末からのファイル処理要求時に前記ファイル処理管理情報テーブルを参照して前記ファイル処理要求のユーザがファイル処理の対象ファイルに対してファイル処理が許可されているかを判定するファイル処理判定手段と、前記画像イメージ管理情報テーブルを参照して前記端末から送信されたユーザの画像イメージと前記画像イメージ管理情報テーブルに登録されたユーザの画像イメージとが一致するかを判定する画像イメージ判定手段と、前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可するファイル処理許可手段と、して機能させると共に、前記端末は、メールにファイルを添付して送信する端末であり、前記ファイル処理管理情報テーブルには個々のユーザに対して対象ファイル毎にメールへの添付を許可・不許可にする情報が登録され、前記端末から前記管理サーバに前記メールへのファイル添付要求時に前記ファイル処理判定手段により前記メールへのファイル添付要求のユーザに対して対象ファイルのメールへの添付が許可されていると判定され、且つ、前記画像イメージ判定手段により前記端末から送信されたユーザの画像イメージと前記画像イメージ管理情報テーブルに登録されたユーザの画像イメージとが一致すると判定されたときに前記ファイル処理許可手段は前記端末にメールへの前記対象ファイルの添付を許可することを特徴とする。
【発明の効果】
【００１７】
本発明によれば、個々のユーザに対してファイル毎に対象ファイルへのファイル処理の許可・不許可を示す情報に基づいてファイル毎にファイル処理の可否を判断するため、よりセキュリティレベルを向上させることができ、ログインが許可された利用者間でのファイルの不正操作をも防止することが可能となる。
【図面の簡単な説明】
【００１８】
【図１】本発明の一実施形態を示すブロック図である。
【図２】ファイル管理操作情報テーブルの一例を示す図である。
【図３】ユーザ画像イメージ管理情報テーブルの一例を示す図である。
【図４】操作追跡のためのログ情報テーブルの一例を示す図である。
【図５】本発明に係る管理サーバの処理手順を説明する説明図である。
【図６】本発明に係る管理サーバの動作を説明するフローチャートである。
【図７】本発明の他の実施形態を示すブロック図である。
【図８】本発明の更に他の実施形態を示すブロック図である。
【発明を実施するための形態】
【００１９】
次に、発明を実施するための形態について図面を参照して詳細に説明する。本発明は、顔認証技術を個々の情報資産単位（ファイル単位）、更には情報資産への操作単位に適用することで、強固なアクセス制限を実現し、人為的ミスを減少させるための仕組みを提供するものである。また、情報資産への操作記録（ログ）として操作者の画像イメージ（顔画像）を利用することで、操作履歴のトレース精度を向上させると共に不正アクセスへの抑止力としても活用する。
【００２０】
図１は本発明に係るシステムの一実施形態の構成を示すブロック図である。図１において、クライアント端末１０はユーザが操作する端末であり、プログラム制御によって動作するパーソナルコンピュータ等の端末である。クライアント端末１０は、操作ユーザの画像イメージ（顔画像）を撮像するＷｅｂカメラ１１、管理サーバ２０へデータを送信するデータ送信部１３、管理サーバ２０からの情報を受信するデータ受信部１４、管理サーバ２０からファイル操作の許可・不許可を受けてファイル操作を制御するファイル操作制御部１２等を含む。
【００２１】
管理サーバ２０はプログラム制御によって動作し、クライアント端末１０やデータ登録端末３０からのデータを受信するデータ受信部２１、クライアント端末１０へ認証結果データを送信するデータ送信部２２、クライアント端末１０からの情報を受けてファイル操作の可否を判断するファイル操作判断部２３−１と画像認 証処理部２３−２、データ登録端末３０からのユーザ登録データ等を受け付けるデータ登録部２４、ユーザ登録データやログ情報を保持するデータベース２５等を含む。
【００２２】
データ登録端末３０はユーザ等から入力されたユーザ情報を管理サーバ２０に登録する端末であり、プログラム制御によって動作する。データ登録端末３０は管理サーバ２０へユーザ情報を送信するためのデータ送信部３１を含む。ユーザ情報とは、後述するようにどのユーザがどのファイルに対してどのような操作が可能であるかを示すファイル操作を許可・拒否する情報、ユーザの画像イメージ等である。管理サーバ２０とクライアント端末１０、管理サーバ２０とデータ登録端末３０はそれぞれＬＡＮで接続され、データのやりとりはリアルタイムに行うことが可能である。
【００２３】
図２はファイル操作管理情報の一例を示す図である。ユーザがクライアント端末１０を用いてファイルを操作する時には管理サーバ２０は図２のファイル操作管理情報に基づいて対象ファイルへのファイル操作の可否を判定する。ファイル操作管理情報には図２に示すように「ユーザＩＤ」、「対象ファイル」、「ファイル操作（ファイル操作の内容）」が登録されている。
【００２４】
具体的には、個々のユーザに対して対象ファイル毎にユーザがファイル操作可能な内容（作成、削除、更新、参照等）が登録され、どのユーザがどのファイルに対してどのような操作が可能であるかが登録されている。例えば、userＡは対象ファイルD:\ＸＸＸ.txtに対して作成／削除／更新／参照の操作は可能であるが、userＢは対象ファイルD:\XXXX.txtに対してアクセスできない。図２に示すファイル操作管理情報は、データ登録端末３０から管理サーバ２０に送信され、管理サーバ２０内のデータベース２５にファイル操作管理情報テーブルとして登録される。
【００２５】
図３はユーザ画像イメージ管理情報の一例を示す図である。ユーザの画像イメージ（ユーザの顔画像）は図３に示すユーザ画像イメージ管理情報で管理され、ユーザ毎に「ユーザＩＤ」と事前に登録されたユーザの「画像イメージ（顔画像）」が関連付けて登録されている。図３のユーザ画像イメージ管理情報も予めデータ登録端末３０から管理サーバ２０のデータベース２５にユーザ画像イメージ管理情報テーブルとして登録される。
【００２６】
図４は操作追跡のためのログ情報の出力形式の一例を示す図である。操作追跡のためのログ情報は図４のログ情報テーブルの形式で出力される。図４に示すように出力項目には、「操作年月日」、「時分秒」、「ユーザＩＤ」、「操作（操作内容）」、「対象ファイル」等がある。それに加えて、「画像ファイル」という項目で操作ユーザの画像イメージを「年月日_時分秒_操作ファイル」というフォーマットで保存する。図４に示す操作追跡のためのログ情報はデータベース２５に保存され、ユーザのファイル操作を追跡する場合には、データベース２５から読み出される。
【００２７】
次に、本実施形態の動作について説明する。図５は本実施形態の処理手順を説明する説明図、図６はそのフローチャートである。図５は管理サーバ２０による概略の処理手順の流れを示す。本実施形態では、事前に登録されたユーザのみに、ファイルの操作を許可する仕組みと、そのファイル操作時に画像イメージを取り込む仕組みを提供するものである。
【００２８】
まず、図５に示すように個々のユーザに対して対象ファイルへのファイル操作を許可・拒否する情報は、予めデータ登録端末３０から管理サーバ２０へ登録する（図６のステップＳ１０１）。このファイルに対してファイル操作を許可・拒否する情報は、例えば、ユーザを管理するユーザ管理者等によって決められ、どのユーザはどのファイルに対して操作が可能であるかを決定する。また、ファイルに対してファイル操作を許可・拒否する情報は、例えば、セキュリティ管理者とファイル管理者との分業にすることもある。なお、図１には１台のクライアント端末１０のみを示しているが、複数のクライアント端末１０を管理サーバ２０に接続しても良い。
【００２９】
その際、データ登録端末３０から入力された個々のユーザに対して対象ファイルへのファイル操作を許可・拒否する情報は、データ送信部３１によって管理サーバ２０へ送信される。管理サーバ２０のデータ受信部２１はデータ受信後にデータ登録部２４によってデータベース２５に登録する。その場合、図２に示すファイル操作管理情報の形式でデータベース２５に登録され、どのユーザがどのファイルに対してどのような操作が可能であるかが登録される。
【００３０】
また、同様にデータ登録端末３０から管理サーバ２０にユーザの画像イメージ（顔画像）が送信され、データベース２５に登録される（ステップＳ１０２）。ユーザの画像イメージは図３に示す形式で登録され、ユーザ毎に「ユーザＩＤ」と「画像イメージ（顔画像）」が関連付けて登録される。
【００３１】
次に、操作ユーザはクライアント端末１０を用いてファイルアクセス（即ちファイルに対して操作を実行）を開始し、例えば、ファイルの作成、削除、更新、参照等の操作を実行しようとしたものとする（ステップＳ１０３）。その際、クライアント端末１０からファイル操作を実行しようとするタイミングで、クライアント端末１０に設置されているＷｅｂカメラ１１から操作ユーザの画像イメージ（顔画像）を撮像し、撮像した画像イメージを操作対象のファイル名、ユーザＩＤ、操作内容と共にデータ送信部１３を介して管理サーバ２０へ送信する（ステップＳ１０４）。
【００３２】
この時、取得した操作ユーザの画像イメージは、操作ログとしても利用されるため、データ登録部２４によって図４に示す形式でデータベース２５のログ情報テーブルに格納される（ステップＳ１０５）。また、管理サーバ２０では、データ受信部２１によってクライアント端末１０からのデータを受信し、ファイル操作判断部２３−１と画像認証処理部２３−２によってデータベース２５に事前に登録された情報と一致するかどうかを判断する（ステップＳ１０６）。
【００３３】
具体的には、ファイル操作判断部２３−１は事前に登録されたファイル操作管理情報テーブル（図２）を参照してファイルを操作しようとするユーザのユーザＩＤが図２に示すファイル操作管理情報テーブルに登録されているかを判定する。ファイル操作判断部２３−１はファイル操作管理情報テーブルに登録されていないユーザに対しては、対象ファイルへのファイル操作を拒否すると判定する。
【００３４】
また、ファイル操作判断部２３−１は対象ファイルを操作しようとするユーザのユーザＩＤがファイル操作管理情報テーブルに登録されている場合には、ファイル操作管理情報テーブルを参照して該当するユーザに対して対象ファイルを作成、削除、更新、参照等の操作が許可されているかを判定する。例えば、図２に示すようにuserＡに対しては対象ファイルへの操作が許可され、userＢに対しては対象ファイルへの操作は許可されていないことが分かる。
【００３５】
一方、画像認証処理部２３−２は事前に登録されたユーザＩＤとユーザの画像イメージが関連付けて登録された図３のユーザ画像イメージ管理情報テーブルを参照してクライアント端末１０のＷｅｂカメラ１１で撮像されたユーザの画像イメージと予め登録されたユーザの画像イメージとが一致するかを判定する。
【００３６】
ファイル操作判断部２３−１と画像認証処理部２３−２の双方によって事前登録された情報と一致と判断された場合には、操作許可の情報をデータ送信部２２からクライアント端末１０へ送信する（ステップＳ１０７）。その際、ファイル操作判断部２３−１ではファイルを操作しようとするユーザが図２に示すファイル操作管理情報に登録され、且つ、ファイルを操作しようとするユーザに対して対象ファイルへの操作が許可されている場合には（例えば、userＡ）、一致と判定し、それ以外は不一致と判定する。ファイル操作判断部２３−１と画像認証処理部２３−２の一致、不一致の判定に拘わらず、図４に示すログ情報テーブルにはユーザの画像イメージが登録される。
【００３７】
ファイル操作判断部２３−１と画像認証処理部２３−２のいずれかによって事前に登録された情報に対して不一致と判定された場合には、管理サーバ１０から操作拒否の情報をデータ送信部２２からクライアント端末１０へ送信する（ステップＳ１０８）。
【００３８】
クライアント端末１０では、管理サーバ２０からの許可・拒否の情報をデータ受信部１４にて受信後、ファイル操作制御部１２によりファイルの操作許可・拒否を実行する（ステップＳ１０９）。即ち、ファイル操作制御部１２は一致と判定された時だけファイル操作を実行し、不一致と判定された場合にはファイル操作を行わない。
【００３９】
本実施形態では、１つの仕組みの中でファイル単位でのアクセス制限機能とトレース機能の両方を実現できると共に、ユーザの画像イメージを使用することにより、なりすましや不正アクセスを防止でき、操作トレース作業の精度向上及び効率化を実現することが可能となる。
【００４０】
即ち、事前にファイル操作管理情報テーブルに個々のユーザに対して対象ファイル毎にファイル操作の許可・不許可を登録し、ファイル操作管理情報に基づき対象ファイルへのファイル操作の許可・不許可を判定するため、ファイル操作管理情報に登録されていないユーザからの不正ファイル操作を防止できる。また、対象ファイルに対してファイル操作が許可されていないユーザに対してもファイル操作を拒否するため、ファイル操作が許可されているユーザのみファイル操作が可能となり、よりセキュリティレベルを向上させることが可能となる。
【００４１】
その際、個々のユーザに対してファイル毎に対象ファイルへの操作許可・不許可を登録し、ファイル単位でファイル操作を制限するため、例えば、特許文献１等に記載されているような端末へのログイン段階でファイル操作の許可・不許可を判断する方法に比べてログイン許可されたユーザ間でのファイル不正操作をも防止でき、よりセキュリティレベルを向上させることが可能となる。
【００４２】
また、なりすましによって正規のユーザの情報（ユーザＩＤ等）でファイル操作をしようとしても、操作ユーザの画像イメージ認証によってファイル操作が拒否されるため、なりすましによるファイルの不正操作も防止することができる。
【００４３】
一方、管理サーバ２０のデータベース２５には図４に示す形式でログ情報が保存されており、ログ情報としてユーザがファイル操作をした「年月日」、「時分秒」、「ユーザＩＤ」、「対象ファイル」、「操作内容」の他に操作ユーザの画像イメージ（顔画像）が「画像ファイル」として登録されている。ユーザや管理者等がログ情報に基づいてユーザのファイル操作をトレースする場合には、ログ情報がデータベース２５から読み出される。その際、ログ情報に含まれている操作ユーザの画像イメージを参照することで、操作ユーザの特定作業をスピードアップできると共に、いわゆる「なりすまし」が分かり、トレース作業の精度を向上させることができる。
【００４４】
次に、本発明の他の実施形態について説明する。本発明に係る管理サーバは、上述のようなファイル操作の管理に限ることなく、例えば、ＰＣや携帯電話機等のメール機能を有する端末に関してメールへの添付ファイル制御、或いはプリンタへの印刷制御等の管理にも適用することができる。図７は本発明に係るメールへの添付ファイル制御を行う場合の実施形態を示すブロック図である。図７では図１と同一部分には同一符号を付して説明を省略する。
【００４５】
図７に示すようにメールへの添付ファイル制御を行う場合には、例えば、ＰＣ等のメールへの添付ファイル制御部４２を有する端末４０から操作ユーザが所定ファイルをメールに添付しようとした時にユーザの画像イメージと管理サーバ２０の画像イメージとの一致判定を行う。また、事前に登録された個々のユーザに対してファイル毎にメール添付を許可するかどうかを示す情報をもとにファイルの添付可否を判断する。端末４０はカメラ４１とメールへの添付ファイル制御部４２を有する。
【００４６】
管理サーバ２０には、事前にユーザの画像イメージ（顔画像）を登録しておく。これは、図３の管理テーブルと同様である。また、個々のユーザに対してファイル毎にメールへの添付を許可するかどうかを示す情報を登録しておく。これは、図２のファイル操作管理テーブルで説明した個々のユーザに対してファイル毎に対象ファイルにファイル操作を許可・不許可の情報を登録したのと同様である。
【００４７】
次に、ユーザが端末４０から対象ファイルをメールに添付して送信する際には、管理サーバ２０は登録された個々のユーザに対してファイル毎にメール添付を許可するかどうかを示す情報（管理テーブル）に基づいてメールへの対象ファイルの添付が許可されているかどうかを判定する。また、端末４０からカメラ４１で撮像されたユーザの顔画像が管理サーバ２０に送信され、管理サーバ２０は送信されたユーザの画像イメージと事前に登録されたユーザの画像イメージを比較して一致判定を行う。なお、メールへのファイル添付を要求したユーザが管理テーブル登録されていない時は、当然、メールへの対象ファイルの添付を拒否する。
【００４８】
管理サーバ２０は、メールへの対象ファイルの添付が許可され、端末４０から送信されたユーザの画像イメージと登録されたユーザの画像イメージが一致した時に端末４０にメールへの対象ファイルの添付を許可する。これにより、ファイル添付を許可したユーザからの添付操作しか許可されないため、メールによる情報漏洩を防ぐことができる。対象ファイルのメール添付の許可・不許可を判定する方法は図１等の実施形態のファイル操作の許可・不許可の判定方法と同様である。
【００４９】
図８は本発明に係る対象ファイルのプリンタによる印刷制御を管理する場合の実施形態を示すブロック図である。図８では図１と同一部分には同一符号を付している。図８に示すようにプリンタ５３への印刷制御を行う場合には、ＰＣ等のプリンタへの制御部５２を有する端末５０から操作ユーザが所定ファイルを印刷しようとした時にユーザの画像イメージと事前に登録されたユーザの画像イメージとの一致判定を行う。また、管理サーバ２０は事前に登録された個々のユーザに対してファイル毎に印刷を許可するかどうかを示す情報をもとにファイルの印刷可否を判断する。ＰＣ等の端末５０はユーザ画像を撮像するカメラ５１を有する。
【００５０】
図８に示すようにプリンタ５３への印刷制御を行う場合には、例えば、プリンタ制御部５２を有するＰＣ等の端末５０から操作ユーザが所定ファイルを印刷しようとした時に管理サーバ２０はユーザの画像イメージと事前に登録されたユーザの画像イメージとの一致判定を行う。また、管理サーバ２０は事前に登録された個々のユーザに対してファイル毎に印刷を許可するかどうかを示す情報をもとにファイルの印刷可否を判断する。端末５０はカメラ５１とプリンタ５３への印刷制御部５２を有する。
【００５１】
管理サーバ２０には、事前にユーザの画像イメージ（顔画像）を登録しておく。これは、図３の管理テーブルと同様である。また、個々のユーザに対してファイル毎に印刷を許可するかどうかを示す情報を登録しておく。これは、図２の管理テーブルで説明した個々のユーザに対してファイル毎に対象ファイルにファイル操作を許可・不許可の情報を登録したのと同様である。
【００５２】
次に、ユーザが端末５０から対象ファイルをプリンタ５３で印刷しようとする際には、管理サーバ２０は事前に登録された個々のユーザに対してファイル毎に印刷を許可するかどうかを示す情報（管理テーブル）に基づいて対象ファイルの印刷が許可されているかどうかを判定する。また、端末５０からカメラ５１で撮像されたユーザの顔画像が管理サーバ２０に送信され、管理サーバ２０は送信されたユーザの画像イメージと事前に登録されたユーザの画像イメージを比較して一致判定を行う。なお、対象ファイルの印刷を要求したユーザが管理テーブル登録されていない時は、当然、対象ファイルの印刷を拒否すると判定する。
【００５３】
管理サーバ２０は、対象ファイルの印刷が許可され、端末５０から送信されたユーザの画像イメージと登録されたユーザの画像イメージが一致した時に端末５０に対して対象ファイルの印刷を許可する。これにより、印刷を許可したユーザからの印刷操作しか許可されないため、ファイル印刷による情報漏洩を防ぐことができる。対象ファイルの印刷の許可・不許可を判定する方法は図１等の実施形態のファイル操作の許可・不許可の判定方法と同様である。
【００５４】
図７、図８のメールへの添付ファイル制御に関する実施形態及びプリンタの印刷制御に関する実施形態は、図１〜図５の実施形態に対して「対象ファイルのファイル操作を許可・不許可にする」かを、「対象ファイルのメールへの添付を許可・不許可にする」か、「対象ファイルの印刷を許可・不許可にするか」の違いであり、それ以外は図１〜図５の実施形態と同様である。また、メールへの添付ファイル制御及びプリンタへの印刷制御の実施形態のどちらも、対象ファイルの不正操作による漏洩を防ぎ、セキュリテイレベルを向上させるものである。
【００５５】
また、以上の実施形態の管理サーバは、ハードウェアによっても実現できるが、コンピュータを管理サーバとして機能させるためのプログラムをコンピュータがコンピュータ読み取り可能な記録媒体から読み込んで実行することによっても実現できる。また、以上の実施形態の端末管理方法は、ハードウェアによっても実現できるが、コンピュータにその方法を実行させるためのプログラムをコンピュータがコンピュータ読み取り可能な記録媒体から読み込んで実行することによっても実現できる。
【００５６】
なお、以上の実施形態の一部又は全部は、以下の付記のようにも記載されうるが、以下には限らない。
【００５７】
（付記１）所定のファイル処理を行うと共にユーザの画像を撮像して前記ユーザの画像イメージを送信する端末が接続された管理サーバであって、
個々のユーザに対してファイル毎に所定ファイル処理の許可・不許可を示す情報が登録されたファイル処理管理情報テーブルと、
ユーザ毎にユーザの画像イメージが関連付けて登録された画像イメージ管理情報テーブルと、
前記端末からのファイル処理要求時に前記ファイル処理管理情報テーブルを参照して前記ファイル処理要求のユーザがファイル処理の対象ファイルに対してファイル処理が許可されているかを判定するファイル処理判定手段と、
前記ユーザ画像イメージ管理情報テーブルを参照して前記端末から送信されたユーザの画像イメージと前記画像イメージ管理情報テーブルに登録されたユーザの画像イメージとが一致するかを判定する画像イメージ判定手段と、
前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可するファイル処理許可手段と、
を備えたことを特徴とする管理サーバ。
【００５８】
（付記２）前記端末から送信されたユーザの画像イメージは、データベースのログ情報テーブルにログ情報として登録されることを特徴とする付記１に記載の管理サーバ。
【００５９】
（付記３）前記ファイル処理管理情報テーブルには、ファイル処理の種類毎に許可・不許可を示す情報が登録され、
前記ファイル処理判定手段は、前記端末からのある種類のファイル処理要求時に前記ファイル処理管理情報テーブルを参照して前記ファイル処理要求のユーザがファイル処理の対象ファイルに対して前記ある種類のファイル処理が許可されているかを判定し、
前記ファイル処理許可手段は、前記ファイル処理判定手段により前記ファイル処理要求のユーザに対して対象ファイルの前記ある種類のファイル処理が許可され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可することを特徴とする付記１又は２に記載の管理サーバ。
【００６０】
（付記４）前記端末は、前記対象ファイルのファイル操作を行う端末であり、前記ファイル処理管理情報テーブルには、個々のユーザに対して対象ファイル毎にファイル操作を許可・不許可にする情報が登録され、前記端末から前記管理サーバへのファイル操作要求時に前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記ファイル処理許可手段は前記端末に前記対象ファイルのファイル操作を許可することを特徴とする付記１又は２に記載の管理サーバ。
【００６１】
（付記５）前記端末は、メールにファイルを添付して送信する端末であり、前記ファイル処理管理情報テーブルには個々のユーザに対して対象ファイル毎にメールへの添付を許可・不許可にする情報が登録され、前記端末から前記管理サーバに前記メールへのファイル添付要求時に前記ファイル処理判定手段により前記メールへのファイル添付要求のユーザに対して対象ファイルのメールへの添付が許可されていると判定され、且つ、前記画像イメージ判定手段により前記端末から送信されたユーザの画像イメージと前記画像イメージ管理情報テーブルに登録されたユーザの画像イメージとが一致すると判定された時に前記ファイル処理許可手段は前記端末にメールへの前記対象ファイルの添付を許可することを特徴とする付記１又は２に記載の管理サーバ。
【００６２】
（付記６）前記端末は、プリンタのファイル印刷を制御する端末であり、前記ファイル処理管理情報テーブルには、個々のユーザに対して対象ファイル毎に印刷を許可・不許可にする情報が登録され、前記端末から前記管理サーバにファイルの印刷要求時に前記ファイル処理判定手段により前記ファイル印刷要求のユーザに対して対象ファイルの印刷が許可されていると判定され、且つ、前記画像イメージ判定手段により前記端末から送信されたユーザの画像イメージと前記画像イメージ管理情報テーブルに登録されたユーザの画像イメージとが一致すると判定された時に、前記ファイル処理許可手段は前記端末に前記対象ファイルの印刷を許可することを特徴とする付記１又は２に記載の管理サーバ。
【００６３】
（付記７）所定のファイル処理を行うと共にユーザの画像を撮像して前記ユーザの画像イメージを送信する端末が接続された管理サーバの端末管理方法であって、
個々のユーザに対してファイル毎に所定ファイル処理の許可・不許可を示す情報が登録されたファイル処理管理情報テーブルと、
ユーザ毎にユーザの画像イメージが関連付けて登録された画像イメージ管理情報テーブルとを有し、
ファイル処理判定手段が、前記端末からのファイル処理要求時に前記ファイル処理管理情報テーブルを参照して前記ファイル処理要求のユーザがファイル処理の対象ファイルに対してファイル処理が許可されているかを判定するステップと、
画像イメージ判定手段が、前記ユーザ画像イメージ管理情報テーブルを参照して前記端末から送信されたユーザの画像イメージと前記画像イメージ管理情報テーブルに登録されたユーザの画像イメージとが一致するかを判定するステップと、
ファイル処理許可手段が、前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可するステップと、
を含むことを特徴とする端末管理方法。
【００６４】
（付記８）前記端末から送信されたユーザの画像イメージは、データベースのログ情報テーブルにログ情報として登録されることを特徴とする付記７に記載の端末管理方法。
【００６５】
（付記９）前記ファイル処理管理情報テーブルには、ファイル処理の種類毎に許可・不許可を示す情報が登録され、
前記ファイル処理判定手段は、前記端末からのある種類のファイル処理要求時に前記ファイル処理管理情報テーブルを参照して前記ファイル処理要求のユーザがファイル処理の対象ファイルに対して前記ある種類のファイル処理が許可されているかを判定し、
前記ファイル処理許可手段は、前記ファイル処理判定手段により前記ファイル処理要求のユーザに対して対象ファイルの前記ある種類のファイル処理が許可され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可することを特徴とする付記７又は８に記載の端末管理方法。
【００６６】
（付記１０）前記端末は、前記対象ファイルのファイル操作を行う端末であり、前記ファイル処理管理情報テーブルには、個々のユーザに対して対象ファイル毎にファイル操作を許可・不許可にする情報が登録され、前記端末から前記管理サーバへのファイル操作要求時に前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記ファイル処理許可手段は前記端末に前記対象ファイルのファイル操作を許可することを特徴とする付記７又は８に記載の端末管理方法。
【００６７】
（付記１１）前記端末は、メールにファイルを添付して送信する端末であり、前記ファイル処理管理情報テーブルには個々のユーザに対して対象ファイル毎にメールへの添付を許可・不許可にする情報が登録され、前記端末から前記管理サーバに前記メールへのファイル添付要求時に前記ファイル処理判定手段により前記メールへのファイル添付要求のユーザに対して対象ファイルのメールへの添付が許可されていると判定され、且つ、前記画像イメージ判定手段により前記端末から送信されたユーザの画像イメージと前記画像イメージ管理情報テーブルに登録されたユーザの画像イメージとが一致すると判定された時に前記ファイル処理許可手段は前記端末にメールへの前記対象ファイルの添付を許可することを特徴とする付記７又は８に記載の端末管理方法。
【００６８】
（付記１２）前記端末は、プリンタのファイル印刷を制御する端末であり、前記ファイル処理管理情報テーブルには、個々のユーザに対して対象ファイル毎に印刷を許可・不許可にする情報が登録され、前記端末から前記管理サーバにファイルの印刷要求時に前記ファイル処理判定手段により前記ファイル印刷要求のユーザに対して対象ファイルの印刷が許可されていると判定され、且つ、前記画像イメージ判定手段により前記端末から送信されたユーザの画像イメージと前記画像イメージ管理情報テーブルに登録されたユーザの画像イメージとが一致すると判定された時に、前記ファイル処理許可手段は前記端末に前記対象ファイルの印刷を許可することを特徴とする付記７又は８に記載の端末管理方法。
【００６９】
（付記１３）所定のファイル処理を行うと共にユーザの画像を撮像して前記ユーザの画像イメージを送信する端末が接続された管理サーバのプログラムであって、
前記管理サーバを、
ファイル処理管理テーブルに個々のユーザに対してファイル毎に所定ファイル処理の許可・不許可を示す情報を登録する手段と、
画像イメージ管理情報テーブルにユーザ毎にユーザの画像イメージが関連付けて登録する手段と、
前記端末からのファイル処理要求時に前記ファイル処理管理情報テーブルを参照して前記ファイル処理要求のユーザがファイル処理の対象ファイルに対してファイル処理が許可されているかを判定するファイル処理判定手段と、
前記ユーザ画像イメージ管理情報テーブルを参照して前記端末から送信されたユーザの画像イメージと前記画像イメージ管理情報テーブルに登録されたユーザの画像イメージとが一致するかを判定する画像イメージ判定手段と、
前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可するファイル処理許可手段と、
して機能させるためのプログラム。
【００７０】
（付記１４）前記端末から送信されたユーザの画像イメージは、データベースのログ情報テーブルにログ情報として登録されることを特徴とする付記１３に記載のプログラム。
【００７１】
（付記１５）前記ファイル処理管理情報テーブルには、ファイル処理の種類毎に許可・不許可を示す情報が登録され、
前記ファイル処理判定手段は、前記端末からのある種類のファイル処理要求時に前記ファイル処理管理情報テーブルを参照して前記ファイル処理要求のユーザがファイル処理の対象ファイルに対して前記ある種類のファイル処理が許可されているかどうかを判定し、
前記ファイル処理許可手段は、前記ファイル処理判定手段により前記ファイル処理要求のユーザに対して対象ファイルの前記ある種類のファイル処理が許可され、且つ、前記画像イメージ判定手段により前記端末から送信されたユーザの画像イメージと前記画像イメージ管理情報テーブルに登録されたユーザの画像イメージとが一致すると判定された時に前記端末にファイル処理を許可することを特徴とする付記１３又は１４に記載のプログラム。
【００７２】
（付記１６）前記端末は、前記対象ファイルのファイル操作を行う端末であり、前記ファイル処理管理情報テーブルには、個々のユーザに対して対象ファイル毎にファイル操作を許可・不許可にする情報が登録され、前記端末から前記管理サーバへのファイル操作要求時に前記ファイル処理判定手段により前記ファイル処理要求のユーザに対して対象ファイルのファイル処理が許可されていると判定され、且つ、前記画像イメージ判定手段により前記端末から送信されたユーザの画像イメージと前記画像イメージ管理情報テーブルに登録されたユーザの画像イメージとが一致すると判定された時に前記ファイル処理許可手段は前記端末に前記対象ファイルのファイル操作を許可することを特徴とする付記１３又は１４に記載のプログラム。
【００７３】
（付記１７）前記端末は、メールにファイルを添付して送信する端末であり、前記ファイル処理管理情報テーブルには個々のユーザに対して対象ファイル毎にメールへの添付を許可・不許可にする情報が登録され、前記端末から前記管理サーバに前記メールへのファイル添付要求時に前記ファイル処理判定手段により前記メールへのファイル添付要求のユーザに対して対象ファイルのメールへの添付が許可されていると判定され、且つ、前記画像イメージ判定手段により前記端末から送信されたユーザの画像イメージと前記画像イメージ管理情報テーブルに登録されたユーザの画像イメージとが一致すると判定された時に前記ファイル処理許可手段は前記端末にメールへの前記対象ファイルの添付を許可することを特徴とする付記１３又は１４に記載のプログラム。
【００７４】
（付記１８）前記端末は、プリンタのファイル印刷を制御する端末であり、前記ファイル処理管理情報テーブルには、個々のユーザに対して対象ファイル毎に印刷を許可・不許可にする情報が登録され、前記端末から前記管理サーバにファイルの印刷要求時に前記ファイル処理判定手段により前記ファイル印刷要求のユーザに対して対象ファイルの印刷が許可されていると判定され、且つ、前記画像イメージ判定手段により前記端末から送信されたユーザの画像イメージと前記画像イメージ管理情報テーブルに登録されたユーザの画像イメージとが一致すると判定された時に、前記ファイル処理許可手段は前記端末に前記対象ファイルの印刷を許可することを特徴とする付記１３又は１４に記載のプログラム。
【符号の説明】
【００７５】
１０  クライアント端末
１１  Ｗｅｂカメラ
１２  ファイル操作制御部
１３  データ送信部
１４  データ受信部
２０  管理サーバ
２１  データ受信部
２２  データ送信部
２３−１  ファイル操作判断部
２３−２  画像認証処理部
２４  データ登録部
２５  データベース
３０  データ登録端末
３１  データ送信部
４０、５０  端末
４１、５１  カメラ
４２  ファイル添付制御部
５２  プリンタ印刷制御部
５３  プリンタ
【図１】
0005327894.tif 000002
【図２】
0005327894.tif 000003
【図３】
0005327894.tif 000004
【図４】
0005327894.tif 000005
【図５】
0005327894.tif 000006
【図６】
0005327894.tif 000007
【図７】
0005327894.tif 000008
【図８】
0005327894.tif 000009